【手続補正書】
【提出日】令和2年4月9日(2020.4.9)
【手続補正１】
【補正対象書類名】特許請求の範囲
【補正対象項目名】全文
【補正方法】変更
【補正の内容】
【特許請求の範囲】
【請求項１】
ＳＣＵとして機能するモダリティからＳＣＰとして受信するＤＩＣＯＭ画像のデータを転送可能なファイル形式のデータに変更して転送する第１の情報処理装置と、前記ファイル形式の前記データを復元し、当該復元して得られた前記ＤＩＣＯＭ画像を、ＳＣＰとして機能する画像管理システムにＳＣＵとして送信する第２の情報処理装置とを含む医用画像転送システム。
【請求項２】
前記第１の情報処理装置は、ＳＣＰとして前記モダリティから受信した前記ＤＩＣＯＭ画像のデータを転送可能なファイル形式のデータに変更してＶＰＮで転送することを特徴とする請求項１に記載の医用画像転送システム。
【請求項３】
前記第１の情報処理装置は、ＳＣＰとして前記モダリティから受信した前記ＤＩＣＯＭ画像のデータをＦＴＰで転送可能なファイル形式のデータに変更してＶＰＮで転送することを特徴とする請求項１又は２に記載の医用画像転送システム。
【請求項４】
前記第１の情報処理装置は、車両内に設けられていることを特徴とする請求項１乃至３の何れか１項に記載の医用画像転送システム。
【請求項５】
前記画像管理システムは、ＰＡＣＳであることを特徴とする請求項１乃至４の何れか１項に記載の医用画像転送システム。
【請求項６】
前記第１の情報処理装置は、ＳＣＵとして機能するモダリティからＳＣＰとして受信するＤＩＣＯＭ画像のデータを圧縮することにより転送可能なファイル形式のデータに変更して転送することを特徴とする請求項１乃至５の何れか１項に記載の医用画像転送システム。
【請求項７】
第１の情報処理装置と第２の情報処理装置とを含む医用画像転送システムの制御方法であって、
前記第１の情報処理装置が、ＳＣＵとして機能するモダリティからＳＣＰとして受信するＤＩＣＯＭ画像のデータを転送可能なファイル形式のデータに変更して転送する転送工程と、
前記第２の情報処理装置が、前記ファイル形式のデータを復元し、当該復元して得られた前記ＤＩＣＯＭ画像を、ＳＣＰとして機能する画像管理システムにＳＣＵとして送信する送信工程とを含む制御方法。
【請求項８】
請求項１乃至６の何れか１項に記載の医用画像転送システムとして機能させるためのプログラム。
【請求項９】
第１の情報処理装置が転送したファイル形式のデータを復元し、当該復元して得られたＤＩＣＯＭ画像を、ＳＣＰとして機能する画像管理システムにＳＣＵとして送信する第２の情報処理装置を含む医用画像転送システムにおける前記第１の情報処理装置であって、
ＳＣＵとして機能するモダリティからＳＣＰとして受信するＤＩＣＯＭ画像のデータを転送可能な前記ファイル形式のデータに変更して転送する転送手段を備えることを特徴とする第１の情報処理装置。
【請求項１０】
第１の情報処理装置が転送したファイル形式のデータを復元し、当該復元して得られた前記ＤＩＣＯＭ画像を、ＳＣＰとして機能する画像管理システムにＳＣＵとして送信する第２の情報処理装置を含む医用画像転送システムにおける前記第１の情報処理装置の制御方法であって、
前記第１の情報処理装置の転送手段が、ＳＣＵとして機能するモダリティからＳＣＰとして受信するＤＩＣＯＭ画像のデータを転送可能な前記ファイル形式のデータに変更してＶＰＮで転送する転送工程を含むことを特徴とする制御方法。
【請求項１１】
請求項９に記載の第１の情報処理装置として機能させるためのプログラム。
【手続補正２】
【補正対象書類名】明細書
【補正対象項目名】発明の名称
【補正方法】変更
【補正の内容】
【発明の名称】医用画像転送システム、第１の情報処理装置、制御方法、プログラム
【手続補正３】
【補正対象書類名】明細書
【補正対象項目名】０００１
【補正方法】変更
【補正の内容】
【０００１】
本発明は、本発明は、医用画像転送システム、第１の情報処理装置、制御方法、プログラムに関し、ＳＣＰとして受信するＤＩＣＯＭ画像のデータを転送可能なファイル形式のデータに変更して転送する情報処理装置に関する。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明は、ＳＣＰとして受信するＤＩＣＯＭ画像のデータを転送可能なファイル形式のデータに変更して転送することを目的とする。
【手続補正６】
【補正対象書類名】明細書
【補正対象項目名】０００７
【補正方法】変更
【補正の内容】
【０００７】
本発明は、ＳＣＵとして機能するモダリティからＳＣＰとして受信するＤＩＣＯＭ画像のデータを転送可能なファイル形式のデータに変更して転送する第１の情報処理装置と、前記ファイル形式の前記データを復元し、当該復元して得られた前記ＤＩＣＯＭ画像を、ＳＣＰとして機能する画像管理システムにＳＣＵとして送信する第２の情報処理装置とを含む医用画像転送システムである。
【手続補正７】
【補正対象書類名】明細書
【補正対象項目名】０００８
【補正方法】変更
【補正の内容】
【０００８】
また、本発明は、当該医用画像転送システムとして機能させるためのプログラムである。
また、本発明は、第１の情報処理装置と第２の情報処理装置とを含む医用画像転送システムの制御方法であって、前記第１の情報処理装置が、ＳＣＵとして機能するモダリティからＳＣＰとして受信するＤＩＣＯＭ画像のデータを転送可能なファイル形式のデータに変更して転送する転送工程と、前記第２の情報処理装置が、前記ファイル形式のデータを復元し、当該復元して得られた前記ＤＩＣＯＭ画像を、ＳＣＰとして機能する画像管理システムにＳＣＵとして送信する送信工程とを含むことを特徴とする。
また、本発明は、第１の情報処理装置が転送したファイル形式のデータを復元し、当該復元して得られたＤＩＣＯＭ画像を、ＳＣＰとして機能する画像管理システムにＳＣＵとして送信する第２の情報処理装置を含む医用画像転送システムにおける前記第１の情報処理装置であって、ＳＣＵとして機能するモダリティからＳＣＰとして受信するＤＩＣＯＭ画像のデータを転送可能な前記ファイル形式のデータに変更して転送する転送手段を備えることを特徴とする。
また、本発明は、当該第１の情報処理装置として機能させるためのプログラムである。
また、本発明は、第１の情報処理装置が転送したファイル形式のデータを復元し、当該復元して得られた前記ＤＩＣＯＭ画像を、ＳＣＰとして機能する画像管理システムにＳＣＵとして送信する第２の情報処理装置を含む医用画像転送システムにおける前記第１の情報処理装置の制御方法であって、前記第１の情報処理装置の転送手段が、ＳＣＵとして機能するモダリティからＳＣＰとして受信するＤＩＣＯＭ画像のデータを転送可能な前記ファイル形式のデータに変更してＶＰＮで転送する転送工程を含むことを特徴とする。
【手続補正８】
【補正対象書類名】明細書
【補正対象項目名】０００９
【補正方法】変更
【補正の内容】
【０００９】
本発明により、ＳＣＰとして受信するＤＩＣＯＭ画像のデータを転送可能なファイル形式のデータに変更して転送することが可能となる。
【手続補正９】
【補正対象書類名】明細書
【補正対象項目名】００２０
【補正方法】変更
【補正の内容】
【００２０】
Ｓ１０２でモダリティ３００は、撮影したＤＩＣＯＭ画像ファイル３０１をＳＣＵ（Ｓｅｒｖｉｃｅ  Ｃｌａｓｓ  Ｕｓｅｒ）として情報処理装置３０２に送信する。
＜情報処理装置３０２による動作＞
【手続補正１０】
【補正対象書類名】明細書
【補正対象項目名】００２１
【補正方法】変更
【補正の内容】
【００２１】
情報処理装置３０２のＣＰＵが読み取り実行可能なプログラムを実行することにより、各ステップの動作指示をして、図に示す各工程（処理）を実行するものとする。
Ｓ１０３で情報処理装置３０２は送信されたＤＩＣＯＭ画像ファイルをＳＣＰ（Ｓｅｒｖｉｃｅ  Ｃｌａｓｓ  Ｐｒｏｖｉｄｅｒ）として受信する。
Ｓ１０４で情報処理装置３０２は受信したＤＩＣＯＭ画像ファイルを予め定められたフォルダ内に保存する。
【手続補正１１】
【補正対象書類名】明細書
【補正対象項目名】００３８
【補正方法】変更
【補正の内容】
【００３８】
Ｓ３０８で情報処理装置４０１、保存されたＤＩＣＯＭ画像ファイル４０２をＳＣＵ（Ｓｅｒｖｉｃｅ  Ｃｌａｓｓ  Ｕｓｅｒ）としてサーバ装置４０３に送信する。
【手続補正１２】
【補正対象書類名】明細書
【補正対象項目名】００４１
【補正方法】変更
【補正の内容】
【００４１】
Ｓ３０９でサーバ装置４０３は送信されたＤＩＣＯＭ画像ファイルをＳＣＰ（Ｓｅｒｖｉｃｅ  Ｃｌａｓｓ  Ｐｒｏｖｉｄｅｒ）として受信する。サーバ装置４０３は受信したＤＩＣＯＭ画像ファイルを患者毎の医用画像として管理する。